(57)【特許請求の範囲】
【請求項１】
本体上面にトッププレートを設け、前記トッププレート下方に、半径方向に間隙を設けて配置された外径の異なる複数の誘導加熱コイルで構成された誘導加熱コイル群と、該誘導加熱コイル群が載置されるコイルベースを含むコイルユニットを設けた誘導加熱調理器において、
前記複数の誘導加熱コイルを前記複数の誘導加熱コイル間に周方向に断片的に設けた高熱伝導性部材で熱的に接続させて配置し、
前記高熱伝導性部材は、エポキシ樹脂成分と無機フィラを含む高熱伝導性絶縁樹脂であることを特徴とする誘導加熱調理器。
【請求項２】
本体上面にトッププレートを設け、前記トッププレート下方に、厚さ方向に間隙を設けて複数段積層された誘導加熱コイルから構成される誘導加熱コイル群と、該誘導加熱コイル群が載置されるコイルベースを含むコイルユニットを設けた誘導加熱調理器において、
前記複数の誘導加熱コイルを高熱伝導性部材で熱的に接続させて配置し、
前記高熱伝導性部材は、エポキシ樹脂成分と無機フィラを含む高熱伝導性絶縁樹脂であることを特徴とする誘導加熱調理器。
【請求項３】
前記高熱伝導性絶縁樹脂は熱伝導率が５Ｗ／ｍＫ以上の高抵抗または絶縁性の物材であることを特徴とする請求項１または２に記載の誘導加熱調理器。
【請求項４】
前記高熱伝導性絶縁樹脂は体積抵抗率１０16Ωcm以上の絶縁体であることを特徴とする請求項１または２に記載の誘導加熱調理器。
【請求項５】
本体上面にトッププレートを設け、前記トッププレート下方に、半径方向に間隙を設けて配置された外径の異なる複数の誘導加熱コイルで構成された誘導加熱コイル群と、該誘導加熱コイル群が載置されるコイルベースを含むコイルユニットを設けた誘導加熱調理器において、
前記複数の誘導加熱コイルの下方又は側方位置のいずれか一方、又はその両方に放熱手段を配置し、前記複数の誘導加熱コイルと前記放熱手段の間隙及び前記コイルベースに高熱伝導性部材を充填し、
前記高熱伝導性部材は、エポキシ樹脂成分と無機フィラを含む高熱伝導性絶縁樹脂であることを特徴とする誘導加熱調理器。
【請求項６】
前記誘導加熱コイルの下方に前記放熱手段として、熱伝導率の高い金属製材料で構成したフィンを設けたことを特徴とする請求項５に記載の誘導加熱調理器。
【請求項７】
前記金属製材料による放熱フィンを複数有し、該複数の放熱フィンは電気的に分離していることを特徴とする請求項６に記載の誘導加熱調理器。
【請求項８】
前記放熱手段がファン装置で強制空冷されるヒートシンクであることを特徴とする請求項５に記載の誘導加熱調理器。
【請求項９】
前記放熱手段は液状冷媒で冷却する構成を備えたことを特徴とする請求項５に記載の誘導加熱調理器。
【発明の詳細な説明】
【技術分野】
【０００１】
本発明は、加熱コイルに高周波電流を供給して被調理鍋を加熱する誘導加熱調理器の加熱コイル冷却構造に関する。
【背景技術】
【０００２】
誘導加熱調理器、例えば誘導加熱式クッキングヒータ（以下ＩＨクッキングヒータという）は、主に誘導加熱コイルに流れる電流によって発生する磁力線により、誘導加熱コイル上方に配置される調理鍋に渦電流が生じ、調理鍋自体が発熱するものである。
【０００３】
このため、誘導加熱調理器はガス加熱の熱効率に比べ高い熱効率であるものの、熱損失が生じて誘導加熱コイルなどが発熱するので、これらの冷却が必要とされる。
【０００４】
その上、調理に要求される高火力を得るには、調理鍋に流れる渦電流量の増加、即ち入力電力の増加が必要であるが、火力を高めると熱損失も増加し、この熱損失により誘導加熱コイルなどの部品の発熱が増加するため、これらの部品を許容温度以下に抑える効率の高い冷却構造が必要となる。
【０００５】
従来の誘導加熱調理器の冷却構造として、特許文献１に開示された例がある。この例は、一つの誘導加熱コイルで調理鍋を加熱する構成の場合で、誘導加熱コイルが載置されるコイルベースの構成において中央部と外周部とを連結する放射状のリブを外周部より高くして、誘導加熱コイルと前記コイルベースとの間に冷却風路を設けたものである。これにより、冷却空気の流れを誘導加熱コイルに近づけ、冷却効率を向上させている。
【０００６】
他方、複数の誘導加熱コイルから構成される誘導加熱コイル群で調理鍋を加熱する場合、調理鍋の種類や外形寸法，調理内容，食材などによって適正な加熱制御が必要であり、複数の誘導加熱コイルを各々制御して、調理に適した加熱調整が行われている。
【０００７】
この誘導加熱コイル群で調理鍋を加熱する場合において、誘導加熱コイル群の一部の誘導加熱コイルで調理する条件では、一つの誘導加熱コイルで調理鍋を加熱する構成の場合より、誘導加熱コイルの面積当たりの発熱が大きくなる。
【０００８】
このため、一つの誘導加熱コイルに冷却空気を供給して空冷する従来の冷却構造と同じ冷却構造で誘導加熱コイル群を冷却すると、発熱する誘導加熱コイルの分布や発熱量の部分的な増大等の条件に対応することが困難であり、入力電力を抑えて誘導加熱コイル群の発熱を抑えるなどの方法が採られている。
【０００９】
この誘導加熱コイル群で調理鍋を加熱する場合の例として、特許文献２に開示された例がある。この例は、内周と外周の誘導加熱コイルで構成される誘導加熱コイル群と、これを載置するコイルベースを備え、このコイルベースは内周の誘導加熱コイルと外周の誘導加熱コイルとの中間部に対応する部分に通気穴を設けたものである。これにより、誘導加熱コイルの上面に冷却空気を直接当て、同時に誘導加熱コイルの上面に流れる冷却空気量を多くして、冷却効率を向上している。
【００１０】
また他の誘導加熱調理器の冷却構造として、例えば特許文献３に記載されているように、加熱コイルの下面或いは上下面の近傍に冷却空気を流し、加熱コイルから発生する熱を加熱コイル表面から強制空冷で直接奪う構成が採られている。
【００１１】
【特許文献１】特開２００２−４３０４５号公報
【特許文献２】特公平７−１１９８３号公報
【特許文献３】特開２００３−７７６３７号公報
【発明の開示】
【発明が解決しようとする課題】
【００１２】
前述したように、特許文献１等に開示されている従来の誘導加熱調理器の冷却構造は、一つの誘導加熱コイルで調理鍋を加熱する構成の場合で、誘導加熱コイルが載置されるコイルベースの構成において中央部と外周部とを連結する放射状のリブを外周部より高くして、誘導加熱コイルと前記コイルベースとの間に冷却風路を設けたもので、冷却空気の流れを誘導加熱コイルに近づけ、冷却効率を向上させているが、より高火力を得るには不充分であった。
【００１３】
また、特許文献２等に開示されている従来の誘導加熱調理器の冷却構造は、内周と外周の誘導加熱コイルから構成される誘導加熱コイル群と、これを載置するコイルベースを備え、このコイルベースは内周の誘導加熱コイルと外周の誘導加熱コイルとの中間部に対応する部分に通気穴を設けたもので、誘導加熱コイルの上面に冷却空気を直接当て、同時に誘導加熱コイルの上面に流れる冷却空気量を多くして、冷却効率を向上しているが、コイルベースに設けられる通気穴の大きさは自在にできるものではなく、且つ、誘導加熱コイル群を構成する各々の誘導加熱コイルの放熱面積が少ないため、一部の誘導加熱コイルのみで加熱する場合の冷却は充分なものとはいえない。
【００１４】
また、誘導加熱コイル群を構成する誘導加熱コイルの一部もしくは全部を複数段積層された構成では、誘導加熱コイルの内部発熱による温度上昇を抑え難い。
【００１５】
また、誘導加熱コイル群が載置されるコイルベースは熱伝導性の良好でない樹脂で成形されるため、熱拡散性が小さく、誘導加熱コイルの熱を外部に逃がし難い。このため、誘導加熱コイル群の内側に配置される誘導加熱コイルほど、コイルベースの下方の空気と直接熱交換する面が少なく、冷却が困難である。
【００１６】
特許文献３に記載された加熱調理器では、回路基板を通過した空気を加熱コイルの下方から吹き付けて冷却させる構成となっており、加熱コイルの冷却性能を高めるには冷却風量を増加させなければならない。
【００１７】
また、冷却風量の増加に伴い、ファン装置のモータ音や部品の風切り音（流体音）が増加し、騒音によりキッチン環境が悪化される。
【００１８】
さらに、加熱コイルの下方に配置される高透磁性部材（フェライト）の凹凸により、冷却空気を加熱コイルの近傍に流し難く、高いファン動力を要する。
【００１９】
本発明は、上記の課題のうち少なくとも一つを解決するためになされたものである。
【課題を解決するための手段】
【００２０】
本発明の誘導加熱調理器は、上記課題を達成するために、本体上面にトッププレートを設け、前記トッププレート下方に、半径方向に間隙を設けて配置された外径の異なる複数の誘導加熱コイルで構成された誘導加熱コイル群と、該誘導加熱コイル群が載置されるコイルベースを含むコイルユニットを設けた誘導加熱調理器において、前記複数の誘導加熱コイルを前記複数の誘導加熱コイル間に周方向に断片的に設けた高熱伝導性部材で熱的に接続させて配置し、前記高熱伝導性部材は、エポキシ樹脂成分と無機フィラを含む高熱伝導性絶縁樹脂とした。
【００２１】
また、本発明の誘導加熱調理器は、上記課題を達成するために、本体上面にトッププレートを設け、前記トッププレート下方に、厚さ方向に間隙を設けて複数段積層された誘導加熱コイルから構成される誘導加熱コイル群と、該誘導加熱コイル群が載置されるコイルベースを含むコイルユニットを設けた誘導加熱調理器において、前記複数の誘導加熱コイルを高熱伝導性部材で熱的に接続させて配置し、前記高熱伝導性部材は、エポキシ樹脂成分と無機フィラを含む高熱伝導性絶縁樹脂とした。
【００２２】
さらに、本発明の誘導加熱調理器は、上記課題を達成するために、本体上面にトッププレートを設け、前記トッププレート下方に、半径方向に間隙を設けて配置された外径の異なる複数の誘導加熱コイルで構成された誘導加熱コイル群と、該誘導加熱コイル群が載置されるコイルベースを含むコイルユニットを設けた誘導加熱調理器において、前記複数の誘導加熱コイルの下方又は側方位置のいずれか一方、又はその両方に放熱手段を配置し、前記複数の誘導加熱コイルと前記放熱手段の間隙及び前記コイルベースに高熱伝導性部材を充填し、前記高熱伝導性部材は、エポキシ樹脂成分と無機フィラを含む高熱伝導性絶縁樹脂とした。
【発明の効果】
【００３５】
本発明によれば、被調理鍋を誘導加熱する際に生じる誘導加熱コイルの温度上昇を、冷却効率をより向上させた構造にて少ない冷却空気の風量で抑え、安定した加熱調理を実現できるとともに、ファンの騒音を抑えた静かなキッチン環境を提供することができる。
【発明を実施するための最良の形態】
【００３６】
本発明の各実施例を以下に説明する。
【実施例１】
【００３７】
図１に本発明の第一の実施例の誘導加熱調理器の一部を分解した斜視図を示す。図１は本発明の誘導加熱調理器の一例として、誘導加熱による調理鍋載置部を手前左右に二口、電熱ヒータ加熱による調理鍋載置部を奥ほぼ中央に一口設けた、ビルトイン型（システムキッチン一体型）ＩＨクッキングヒータに適用したものである。
【００３８】
ここで、本発明は、誘導加熱による調理鍋載置部を少なくとも一つ設けたＩＨクッキングヒータであれば、ビルトイン型でなくとも据置型（流し台にそのまま配置）でも容易に適用できることは言うまでもない。
【００３９】
また、図２は本発明の第一の実施例の誘導加熱調理器のコイルユニットの斜視図であり、図３は本発明の第一の実施例の誘導加熱調理器のコイルユニット周辺部の側面断面図で、コイルユニットの詳細な構成と冷却空気の流れとの関係を示す。
【００４０】
以下、第一の実施例について、図１，図２、及び図３を用いて説明する。尚、図３(ａ)はフェライトを搭載していない部位で切断したコイルベースを含むコイルユニット周辺部の側面断面図であり、同図（ｂ）は高透磁性部材のフェライトを搭載した部位で切断したコイルベースを含むコイルユニット周辺部の側面断面図である。
【００４１】
図１，図２、及び図３において、誘導加熱調理器１の本体を示している。
【００４２】
コイルユニット２（２ａ，２ｂ）は、二口の誘導加熱に対応して二組有り、後記トッププレート９下方に設けられ、コイルユニット２ａは手前右、コイルユニット２ｂは手前左に配置され、後述する下記符号３〜６の要素から構成されている。
【００４３】
誘導加熱コイル群３（３ａ，３ｂ）は、コイルユニット２（２ａ，２ｂ）の構成要素であり、二つ有り、それぞれ三つの誘導加熱コイル３−１（３−１ａ，３−１ｂ），３−２（３−２ａ，３−２ｂ），３−３（３−３ａ，３−３ｂ）から構成される。
【００４４】
これら誘導加熱コイル３−１（３−１ａ，３−１ｂ），３−２（３−２ａ，３−２ｂ），３−３（３−３ａ，３−３ｂ）は、リッツ線で形成され、それぞれ外径が異なっており、半径方向に間隙を設け、順に内側，中間，外側の三重に配置され、２０〜１００ｋＨｚの高周波電源（図示せず）から供給される電流によって磁力線を発生させ、この磁力線により上方に載置される調理鍋（図示せず）に渦電流が生じ、調理鍋（図示せず）自体を発熱させる。
【００４５】
尚、本実施例では、誘導加熱コイル群３（３ａ，３ｂ）は三重で構成されているが、これに限らず、二重で構成されても、四重以上で構成されてもよいことは言うまでもない。
【００４６】
コイルベース４（４ａ，４ｂ）は、コイルユニット２（２ａ，２ｂ）の構成要素であり、二つ有り、上に誘導加熱コイル３群（３ａ，３ｂ）を載置する。
【００４７】
高透磁性部材５（５ａ，５ｂ）は、コイルユニット２（２ａ，２ｂ）の構成要素であり、高透磁性のフェライトで形成され、二組あり、数本の棒状のもので一組が構成され、誘導加熱コイル３（３ａ，３ｂ）下方で例えば中央から放射状にコイルベース４（４ａ，
４ｂ）部に配置され、誘導加熱コイル３（３ａ，３ｂ）から発生した磁力線の下方に向う流れを止め、後記トッププレート９上方側に磁力線を集中させて調理鍋（図示せず）を効率よく加熱する。
【００４８】
温度センサ６は、コイルユニット２（２ａ，２ｂ）の構成要素であり、コイルユニット２（２ａ，２ｂ）中央部に配置され、上方の調理鍋（図示せず）の温度を監視し、例えば、加熱運転中の過熱防止、もしくは加熱終了時の火傷防止等に使用される。
【００４９】
ラジエントヒータ７は、一口の電熱ヒータ加熱に対応している。
【００５０】
トップフレーム８は、本体１の上面に設けられ、本体１の上面の周縁部を構成している。
【００５１】
トッププレート９は、本体１上面に設けられ、トップフレーム８と結合されて本体１の上面を形成し、耐熱ガラス等で形成され、加熱される調理鍋（図示せず）を載置する。通気孔１０は、トップフレーム８上の後部に設けられ、本体１の内部と外部との間で空気を出入りさせる。
【００５２】
調理鍋載置部１１（１１ａ，１１ｂ，１１ｃ）で、トッププレート９上で調理鍋（図示せず）を載置する部位を示し、調理鍋載置部１１ａ，１１ｂは二つの誘導加熱コイル群
３ａ，３ｂに対応し、手前右，左に配置され、調理鍋載置部１１ｃはラジエントヒータ７に対応し、奥ほぼ中央に配置されている。
【００５３】
操作パネル１２は、本体１前面に設けられ、誘導加熱コイル群３や後記ロースター１５等の火加減等を制御する。主電源１３は、操作パネル１２内に配置され、機器全体の電源を入り切りする。ダイヤル１４は、操作パネル１２内に配置され、回転させることにより火力を調整できる。ロースター１５は、本体１前面に設けられ、魚などを焼く。
【００５４】
エポキシ樹脂組成物と無機フィラを含んだ材料の高熱伝導性部材１６は、誘導加熱コイル３群（３ａ，３ｂ）を構成する内側の誘導加熱コイル３−１（３−１ａ，３−１ｂ）と中間の誘導加熱コイル３−２（３−２ａ，３−２ｂ）との間、および中間の誘導加熱コイル３−２（３−２ａ，３−２ｂ）と外側の誘導加熱コイル３−３（３−３ａ，３−３ｂ）との間に充填されて、それぞれ隣り合う各誘導加熱コイル３−１（３−１ａ，３−１ｂ），３−２（３−２ａ，３−２ｂ），３−３（３−３ａ，３−３ｂ）を熱的に接続する。
【００５５】
また、高熱伝導性部材１６はコイルベース４等として樹脂成形することができる。
【００５６】
この、高熱伝導性部材としては、熱伝導率が５Ｗ／ｍＫ以上、体積抵抗率は１０6Ωcm以上の高抵抗部材、更に望ましくは１０16Ωcm以上の絶縁部材が望ましい。高熱伝導性部材はエポキシ樹脂組成等の樹脂が望ましく、具体的な物質材料の例としては熱硬化性樹脂組成物がエポキシ樹脂組成物と無機フィラを含み、該エポキシ樹脂組成物はメソゲンを有するエポキシ樹脂モノマーを含み、該エポキシ樹脂組成物中のメソゲン含有量が３１重量％以上であり、熱硬化性により製造できる物質材料であることを特徴とするものである。
【００５７】
支持部１７は、例えばバネなどの弾性力のあるもので構成され、コイルベース４を支えるようにコイルベース４の下方に、一つのコイルベース４に対してそれぞれ少なくとも３ヶ所設けられ、コイルユニット２をトッププレート９に押し付ける。要するに、温度センサ６がトッププレート９に接触できる構成であればよい。
【００５８】
排気口１８は、トップフレーム８上に配置された通気孔１０下側に対応した位置で本体１後部左側に配置され、トッププレート９下側の本体１内部の空気の排気を行う。
【００５９】
排気口１９は、トップフレーム８上に配置された通気孔１０下側に対応した位置で本体１後部左寄りに配置され、ロースター１５の排気を行う。
【００６０】
排気口２０は、トップフレーム８上に配置された通気孔１０下側に対応した位置で本体１後部ほぼ中央部に配置され、トッププレート９下側の本体１内部の空気の排気を行う。
【００６１】
吸気口２１は、トップフレーム８上に配置された通気孔１０下側に対応した位置で本体１後部右側に配置され、本体１の後部下側に設けられた冷却ファン（図示せず）の吸気を行う。
【００６２】
以上のように、本実施例では、本体１内部の吸排気は全て通気孔１０を介して行っているが、これに限らず、本体１内への吸気は本体１側面、もしくはロースター１５や操作パネル１２の上側の本体１前面部分から行い、排気は通気孔１０以外でもよい。
【００６３】
仕切板２２は、本体１内部を上下に仕切り、この上方にコイルユニット２等が配置され、下方にロースター１５，インバータ回路基板等の電子回路部品（図示せず）、この電子回路部品等を冷却する冷却ファン（図示せず）等が配置される。
【００６４】
吐出し口２３ａ，２３ｂは、コイルユニット２ａ近傍の仕切板２２に設けられた開口部であり、前記電子回路部品（図示せず）を冷却した空気が仕切板２２上方の空間に吹き出される。
【００６５】
表示パネル２４は、トッププレート９の前部の下方に配置され、二口の誘導加熱に対応して左右に二つあり、誘導加熱の火力調整量等を表示する。本実施例では表示パネル２４の冷却構造を図示していないが、表示パネル２４用の冷却ファン（図示せず）を配置して、例えば、本体１内部の空気を送風してもよいし、冷却性能を高めるために、本体１側面若しくは前面から吸気した、より低温の空気を送風させる構成にしてもよい。
【００６６】
冷却空気２５は、仕切板２２の下方に配置された前記冷却ファン（図示せず）から供給され、仕切板２２の下方から吐出し口２３ａ，２３ｂを通って仕切板２２の上方の空間に吹き出し、吐出し口２３ａから吹き出した冷却空気２５は右のコイルユニット２ａに吹き付け、吐出し口２３ｂから吹き出した冷却空気２５は左のコイルユニット２ｂに吹き付け、さらに表示パネル２４等を冷却する。
【００６７】
次に、図３（ａ），同図（ｂ）を用いて、コイルユニット２周辺部の冷却構造を説明する。
【００６８】
図３（ａ），同図（ｂ）において、冷却空気２５ａは、仕切板２２の下方から吐出し口２３ａ，２３ｂを通って仕切板２２の上方の空間に吹き出した冷却空気２５の一部であり、誘導加熱コイル群３とトッププレート９との間に流れる。
【００６９】
冷却空気２５ｂは、仕切板２２の下方から吐出し口２３ａ，２３ｂを通って仕切板２２の上方の空間に吹き出した冷却空気２５の一部であり、誘導加熱コイル群３すなわちコイルユニット２の下方に流れる。
【００７０】
誘導加熱時には、高周波電源（図示せず）の入力電力に対して高い熱効率で調理鍋（図示せず）が発熱するが、誘導加熱コイル群３に流れる渦電流によって生ずる抵抗損失である渦電流損により、誘導加熱コイル群３が発熱するため、誘導加熱コイル群３とトッププレート９との間に流れる冷却空気２５ａと、誘導加熱コイル群３すなわちコイルユニット２の下方に流れる冷却空気２５ｂとによってコイルユニット２すなわち誘導加熱コイル群３を冷却する構造である。
【００７１】
冷却空気２５ａ，２５ｂは、発熱する誘導加熱コイル群３と、誘導加熱コイル群３からの熱伝導により温度上昇したコイルベース４、および高透磁性部材５と熱交換し、本体１後部へ流れ、排気口１８または排気口２０を通り通気孔１０から排気される。
【００７２】
但し、誘導加熱コイル群３とトッププレート９との間隙が狭いほど、調理鍋(図示せず)と誘導加熱コイル群３との距離が狭められ、調理鍋（図示せず）を誘導加熱し易くなる
（熱効率が良くなる）ので、誘導加熱コイル群３を冷却空気２５ｂで充分冷却できれば、誘導加熱コイル群３とトッププレート９との間に冷却空気２５ａを流さなくともよい。
【００７３】
また、その逆に、誘導加熱コイル群３を冷却空気２５ａで充分冷却できれば、コイルユニット２の下方に冷却空気２５ｂを流さなくともよい。
【００７４】
次に、以上の構成において、図１，図２及び図３を用いて調理鍋（図示せず）をトッププレート９上の誘導加熱用の調理鍋載置部１１に配置して誘導加熱調理を行った時の動作について説明する。
【００７５】
例えば、水等の被加熱物の入った調理鍋（図示せず）の加熱は、トッププレート９上の誘導加熱用の調理鍋載置部１１に調理鍋（図示せず）を載せ、本体１前面に設けられた操作パネル１２の主電源１３を入れ、前記調理鍋載置部１１の下方の誘導加熱コイル群３に対応した火力調整用のダイヤル１４を回転させることにより、トッププレート９前部の下方に配置された表示パネル２４に、その火力調整量が表示される。
【００７６】
前記ダイヤル１４の回転量を調整して調理鍋（図示せず）の加熱を行うと、その火力調整量に応じて誘導加熱コイル群３の誘導加熱コイル３−１，３−２，３−３に流れる電流量がそれぞれ自動で制御され、調理鍋（図示せず）の加熱が行われる。
【００７７】
ここで、誘導加熱コイル３−１，３−２，３−３に流れるそれぞれの電流量は、トッププレート９上に載置される調理鍋（図示せず）の種類や大きさに応じて制御される。例えば、最大径の誘導加熱コイル３−３よりも外径寸法の小さい調理鍋（図示せず）の加熱であれば、誘導加熱コイル群３の内側の誘導加熱コイル３−１と中間の誘導加熱コイル３−２のみに電流を流して調理鍋（図示せず）を加熱する。
【００７８】
誘導加熱コイル群３の制御は、載置される調理鍋（図示せず）の誘導加熱電力を各誘導加熱コイル３−１，３−２，３−３で自動検知して行ってもよいし、調理者が手動で行ってもよい。または、誘導加熱コイル３−１，３−２，３−３の温度変化等を検知して、誘導加熱コイル群３の誘導加熱分布を制御する構成でもよい。または、調理鍋（図示せず）内の食材の対流を促進させるように、例えば、湯沸し，煮込み加熱等の加熱条件に応じた制御を行う構成でもよい。
【００７９】
次に、例えば、誘導加熱コイル群３の中間の誘導加熱コイル３−２のみに電流を流して調理鍋（図示せず）を誘導加熱した場合の熱の流れについて説明する。
【００８０】
操作パネル１２の操作により、誘導加熱コイル３−２に電流が流れ、調理鍋(図示せず)の加熱が開始されるとともに、本体１の後部下側に設けられた冷却ファン（図示せず）が作動し、トップフレーム８上に配置された通気孔１０下側に対応した位置で本体１後部右側に配置された吸気口２１より外気を吸い込み、電子回路部品（図示せず）に送風する。
【００８１】
この空気は、電子回路部品（図示せず）の熱を奪い、本体１後方側から前方側に向って流れ、仕切板２２に設けられた吐出し口２３ａ，２３ｂを通り、冷却空気２５となって仕切板２２の上方に吹き出される。
【００８２】
吐出し口２３ａ，２３ｂから吹き出した冷却空気２５は、図３に示すように、冷却空気２５ａと２５ｂとなってコイルユニット２の上方と下方を流れ、誘導加熱コイル群３，コイルベース４、及び高透磁性部材５と熱交換を行い、主にトッププレート９の下面に沿って、本体１前方側から後方側に向かって流れ、トップフレーム８上に配置された通気孔
１０下側に対応した位置で本体１後部ほぼ中央部に配置された排気口２０を通り通気孔
１０から外部に排気される。
【００８３】
ここで、発熱した誘導加熱コイル３−２の熱は、内側の誘導加熱コイル３−１と中間の誘導加熱コイル３−２との間、および中間の誘導加熱コイル３−２と外側の誘導加熱コイル３−３との間に充填された高熱伝導性部材１６の作用により、誘導加熱コイル３−１および誘導加熱コイル３−３に熱輸送され、誘導加熱コイル３−１および誘導加熱コイル３−３が誘導加熱コイル３−２の放熱面として利用され、誘導加熱コイル３−２の放熱が促進される。
【００８４】
従って、誘導加熱コイル群３の一部の誘導加熱コイル３−２に大きな入力電力を供給して調理鍋（図示せず）を誘導加熱した場合でも、誘導加熱コイル３−２の熱を隣り合う誘導加熱コイル３−１および誘導加熱コイル３−３に拡散し、冷却空気２５ａ，２５ｂと熱交換する放熱面積を拡大した構成となるため、誘導加熱コイル３−２を充分に冷却し、調理鍋(図示せず)を大火力で誘導加熱することができる。
【００８５】
尚、実装上の制約などにより、誘導加熱コイル３−２の熱は誘導加熱コイル３−１と誘導加熱コイル３−２との間に充填された高熱伝導性部材１６、もしくは誘導加熱コイル３−２と誘導加熱コイル３−３との間に充填された高熱伝導性部材１６の何れか一方のみに流れてもよい。
【００８６】
また、発熱する誘導加熱コイル群３が誘導加熱コイル３−１のみであっても、高熱伝導性部材１６を介して熱を他の誘導加熱コイル３−２，３−３に広げて冷却できるので同様の効果が実現できる。誘導加熱コイル３−３が発熱する場合も同様である。
【００８７】
また、誘導加熱コイル群３を構成する全ての誘導加熱コイル３−１，３−２，３−３が発熱する場合は、全ての誘導加熱コイル３−１，３−２，３−３表面で略一様に発熱するため、冷却が容易になることは言うまでもない。
【００８８】
さらに、冷却ファン（図示せず）は誘導加熱コイル群３の各誘導加熱コイル３−１，３−２，３−３、及び電子回路部品（図示せず）の温度を計測してＯＮ／ＯＦＦ制御、または間欠運転、またはファン回転数制御により風量を調整する構成にしてもよい。
【００８９】
また、例えば、トッププレート９上の左右の誘導加熱用の調理鍋載置部１１ａ，１１ｂに同時に調理鍋（図示せず）を載置して誘導加熱する場合であっても、右の調理鍋載置部１１ａに対応するコイルユニット２ａすなわち誘導加熱コイル群３ａは吐出し口２３ａから供給される冷却空気２５により冷却され、左の調理鍋載置部１１ｂに対応するコイルユニット２ｂすなわち誘導加熱コイル群３ｂは吐出し口２３ｂから供給される冷却空気２５により冷却されるので問題はない。
【実施例２】
【００９０】
図４は本発明の第二の実施例の誘導加熱調理器のコイルユニットの斜視図である。
【００９１】
本実施例において第一の実施例と異なるのは、誘導加熱コイル群３を構成する内側の誘導加熱コイル３−１と中間の誘導加熱コイル３−２との間、および中間の誘導加熱コイル３−２と外側の誘導加熱コイル３−３との間に充填される高熱伝導性部材１６が、周方向に断片的に設けられていることである。
【００９２】
高熱伝導性部材１６をこのように設けることにより、内側の誘導加熱コイル３−１，中間の誘導加熱コイル３−２、および中間の誘導加熱コイル３−２を形成するリッツ線の熱膨張の影響を防止でき、且つ、高熱伝導性部材１６の使用量を少なくすることができる。
【００９３】
本実施例における誘導加熱コイル群３の冷却についての作用効果は第一の実施例の場合とほぼ同様である。
【実施例３】
【００９４】
図５は本発明の第三の実施例の誘導加熱調理器のコイルユニット周辺部の側面断面図である。
【００９５】
本実施例では、第一の実施例と同様な構成において、誘導加熱コイル群３を構成する中間の誘導加熱コイル３−２が厚さ方向に一例として二段に巻かれ、トッププレート９側の誘導加熱コイル群３の高さが場所により異なって構成された場合である。
【００９６】
本実施例においても、第一の実施例と同様に、高熱伝導性部材１６は誘導加熱コイル群３を構成する内側の誘導加熱コイル３−１と中間の誘導加熱コイル３−２との間、および中間の誘導加熱コイル３−２と外側の誘導加熱コイル３−３との間に充填されている。
【００９７】
調理鍋（図示せず）の誘導加熱において、高い熱効率を得る（即ち、誘導加熱コイル３−１，３−２，３−３の熱損失を抑える）には、調理鍋（図示せず）に生じる渦電流による発熱を良好にするため、誘導加熱コイル３−１，３−２，３−３の巻数増加が有効である。
【００９８】
よって、本実施例のように、誘導加熱コイル群３の一部の誘導加熱コイル３−２の巻数を増加させた構成がより効率のよい誘導加熱ができる。
【００９９】
但し、図に示すような誘導加熱コイル群３の一部の誘導加熱コイル３−２が厚さ方向に二段に巻かれた構造では、トッププレート９と誘導加熱コイル群３との間隙が狭い誘導加熱コイル３−２上面部において、他の誘導加熱コイル３−１，３−３上面部より冷却空気２５ａが流れ難くなる。
【０１００】
しかしながら、このような誘導加熱コイル群３の一部の厚さが異なるような構造においても、各誘導加熱コイル３−１，３−２，３−３の間に充填された高熱伝導性部材１６の作用により、誘導加熱コイル群３全体に熱を拡散し、広い放熱面積で冷却空気２５ａと熱交換できるので、冷却空気２５ａの量が少なくても誘導加熱コイル群３の熱を効率よく奪うことができる。
【０１０１】
以上述べた本実施例では、誘導加熱コイル３−２を厚さ方向に二段に巻いた構成であるが、厚さ方向に三段以上に巻いた構成でもよいし、他の誘導加熱コイル３−１，３−３を複数段巻いた構成でも同様の作用効果が期待できる。
【実施例４】
【０１０２】
図６は本発明の第四の実施例の誘導加熱調理器のコイルユニット周辺部の側面断面図である。
【０１０３】
本実施例では、第一の実施例と同様な構成において、誘導加熱コイル群３が間隙を設けて二段積層された誘導加熱コイル３−１，３−２で構成された場合である。
【０１０４】
尚、コイルベース４の中央部には空気が通過できる中央通気孔２６を設け、コイルユニット２の下方に吹き付けられた冷却空気２５ｂがこの中央通気孔２６を通り、誘導加熱コイル群３とトッププレート９との間を中央部から外周方向に流れる構成としている。
【０１０５】
本実施例においても、第一の実施例と同様に、高熱伝導性部材１６は積層された誘導加熱コイル３−１と誘導加熱コイル３−２との間隙に充填されている。
【０１０６】
本実施例は、第三の実施例において説明したように、調理鍋（図示せず）の誘導加熱において、高い熱効率を得るため、誘導加熱コイル３−１および３−２の巻数をほぼ最大限に増加させた構成に適用したもので、誘導加熱コイル群３の冷却効率をより向上できる。
【０１０７】
尚、以上述べた本実施例では、誘導加熱コイル群３は誘導加熱コイル３−１，３−２の二つで二段積層した構成であるが、三段以上積層した構成としてもよい。
【実施例５】
【０１０８】
図７は本発明の第五の実施例の誘導加熱調理器のコイルユニット周辺部の側面断面図である。
【０１０９】
本実施例では、第一の実施例とほぼ同様な構成において、さらに、誘導加熱コイル群３と高透磁性部材５との間のコイルベース４部材を取り除いて間隙を設け、誘導加熱コイル群３と高透磁性部材５との間隙に高熱伝導性部材１６を充填する構成である。
【０１１０】
つまり、誘導加熱コイル群３を構成する各誘導加熱コイル３−１，３−２，３−３の間に高熱伝導性部材１６を充填し、これら全てを熱的に接続している。
【０１１１】
よって、誘導加熱コイル群３の、例えば誘導加熱コイル３−２のみで誘導加熱を行う場合、誘導加熱コイル３−２の発熱は誘導加熱コイル３−１，３−３、及び高透磁性部材５に拡散され、コイルユニット２すなわち誘導加熱コイル群３が誘導加熱コイル群３とトッププレート９との間を流れる冷却空気２５ａ、及びコイルユニット２の下方を流れる冷却空気２５ｂと熱交換する放熱面積が拡大し、一層効率よく誘導加熱コイル群３の温度を下げることができる。
【０１１２】
上記構成に加え、さらに、各誘導加熱コイル３−１，３−２，３−３間にも高熱伝導性部材１６を充填する構成とし、誘導加熱コイル３−１，３−２，３−３すなわち誘導加熱コイル群３と高透磁性部材５の熱的接続を一層向上して、より一層効率よく誘導加熱コイル群３の温度を下げることができる。
【実施例６】
【０１１３】
図８は本発明の第六の実施例の誘導加熱調理器のコイルユニット周辺部の側面断面図である。
【０１１４】
本実施例では、第五の実施例とほぼ同様な構成において、コイルユニット２における高透磁性部材５の冷却性能を向上させるもので、高透磁性部材５を誘導加熱コイル群３の最外周より突出して配置させた構成としている。
【０１１５】
図８（ａ）に示す例は、高透磁性部材５の最外端をトッププレート９側にＬ字状に突出成形した構成であり、高透磁性部材５の放熱面積を増加させるとともに、誘導加熱時に発生する磁力線を誘導加熱コイル群３からトッププレート９上に載置された調理鍋（図示せず）に効率よく伝えるので、誘導加熱コイル群３の熱損失自体も低減することもできる。
【０１１６】
尚、図８（ａ）に示す例は、高透磁性部材５の最外端をトッププレート９側にＬ字状に突出成形した構成であるが、高透磁性部材５を内端を突出した構成、もしくは各誘導加熱コイル３−１，３−２，３−３の間隙等に突出した構成とすれば、より効果的に熱効率の向上、及び誘導加熱コイル群３の冷却ができることは言うまでもない。
【０１１７】
また、図８（ｂ）に示す例は、他の例を示すもので、高透磁性部材５の最外端をコイルベース４外周より半径方向に長く突出させて成形した構成であり、このように高透磁性部材５の放熱面積を増加させる構成としても、誘導加熱コイル群３を効率よく冷却できる。
【実施例７】
【０１１８】
図９は本発明の第七の実施例の誘導加熱調理器のコイルユニット周辺部の側面断面図である。
【０１１９】
本実施例では、第五の実施例とほぼ同様な構成において、コイルユニット２における誘導加熱コイル群３が、複数の誘導加熱コイル３−１，３−２，３−３から構成されるのではなく、一つの誘導加熱コイル３−１で構成されている場合に適用したものである。
【０１２０】
すなわち、誘導加熱コイル３−１と高透磁性部材５との間のコイルベース４部材を取り除いて間隙を設け、誘導加熱コイル３−１と高透磁性部材５との間隙に高熱伝導性部材
１６を充填する構成としたものであり、最も実用化され、シンプルな構造である一つの誘導加熱コイル３−１の構成においても、本発明の冷却構造を適用して効率よく冷却が可能である。
【実施例８】
【０１２１】
図１０は本発明の第八の実施例の誘導加熱調理器のコイルユニット周辺部の側面断面図である。
【０１２２】
本実施例では、第七の実施例とほぼ同様な構成において、コイルユニット２ａは、誘導加熱コイル３−１と、前記誘導加熱コイル３−１が載置されたコイルベース４と、誘導加熱コイル３−１の下方に配置された放熱手段である放熱手段３０とで構成されている。
【０１２３】
尚、誘導加熱コイル３−１は、複数の誘導加熱コイル３−１，３−２，３−３から構成されるものでも良い。
【０１２４】
また、放熱手段３０は誘導加熱コイル３−１の下方、本実施例では高透磁性部材５の下方位置に配置させている。
【０１２５】
ここで、放熱手段３０は誘導加熱コイル３−１に供給される高周波電流で被調理鍋に生じる渦電流によって誘導加熱が行われる際に、その誘導加熱が阻害されない磁界強さの位置に配置させれば良い。
【０１２６】
よって、本実施例では放熱手段３０の位置を高透磁性部材５の下方としたが、被調理鍋の誘導加熱に差し支えなければ、より誘導加熱コイル３−１の近傍に配置させてもよい。
【０１２７】
又は、誘導加熱コイル３−１の外周方向（例えば図１０で４ａ部）に放熱手段３０を設け、誘導加熱コイル３−１の下方と側方の両方向から冷却する構成にしてもよい。更には、外周のみに放熱手段３０を設けてもよい。
【０１２８】
この放熱手段３０は、例えばアルミ等の熱伝導率が良好な金属製からなり、そのフィン形状がベースとなる平板に０.５mm から２mm程度の厚さの薄肉平板を複数枚間隙を設けて配置された平板フィン形ヒートシンクで構成されている。
【０１２９】
ここで、放熱手段３０は、ベースとなる平板に円柱或いは角柱状のピンを複数本、間隙を設けて配置させたピンフィン形ヒートシンクでもよいし、コイルベース４の底面投影面積よりも伝熱面積が大きくなるように、コイルベース表面に凹凸を設けて加工したものでよい。
【０１３０】
また、放熱手段３０の材質は本発明の高熱伝導性部材１６，アルミの他に銅等の熱伝導率の高い金属や窒化アルミ，アルミナなどの熱伝導性の良好なセラミック材で構成してもよい。
【０１３１】
さらに、本発明では図１０に示すように、放熱手段３０と誘導加熱コイル３−１の間隙及び放熱手段３０とコイルベース４の間隙には高熱伝導性部材１６が充填されており、放熱手段３０と誘導加熱コイル３−１及び放熱手段３０とコイルベース４を小さい熱抵抗で熱的に接続している。
【０１３２】
また、高熱伝導性部材１６は誘導加熱コイル３−１から高透磁性部材５下方のヒートシンク３０まで熱伝導により熱輸送するもので、高熱伝導性部材１６の熱伝導率が高いほど誘導加熱コイル３−１を効率よく冷却できる。
【０１３３】
ここで、図１０に示す高熱伝導性部材１６を高透磁性部材５が内蔵されたコイルベース４と放熱手段３０の間隙にも介在させて構成しているが、高熱伝導性部材１６の伝熱面積が十分広く取れれば、誘導加熱コイル３−１と放熱手段３０の間隙のみに介在させた構成でもよい。
【０１３４】
放熱手段３０のフィン間には、冷却空気２５が前記冷却ファン（図示せず）から供給されるので、高熱伝導性部材１６を介して誘導加熱コイル３−１から効率よく熱を奪い、発熱する誘導加熱コイル３−１の温度を低下させる。
【０１３５】
図１１に示すコイルユニット２ａの斜視図では、冷却空気２５を放熱手段３０下方の略中央から供給して放熱手段３０の両端から排気される構成例を示したが、放熱手段３０の片側から誘導加熱コイル３−１と略並行に流れるように前記冷却ファン（図示せず）からの風路を設けた構成にしてもよい。
【０１３６】
図１０及び図１１に示すコイルユニット２ａを右側のみに適用したものであるが、当然左のみでもよいし、左右両方でもよい。
【実施例９】
【０１３７】
図１２に本発明のコイルユニット２ａの他の実施例を示す。
【０１３８】
本実施例では、誘導加熱コイル３−１を載置するコイルベース４に配置される高透磁性部材５を、それ自体放熱手段となるように凹凸５ａを設けたヒートシンク構造としたものである。
【０１３９】
本実施例のコイルユニット２ａでは、誘導加熱コイル３−１と高透磁性部材５の間隙に高熱伝導性部材１６を介在させ、誘導加熱コイル３−１の熱を効率よく高透磁性部材５に伝えることができる。
【０１４０】
ここで、高透磁性部材５は扇状に複数個分割された部材を並べた構成でもよいし、誘導加熱コイル３−１の下方全面を覆うように一体化させた構成でもよい。
【０１４１】
本実施例では、高透磁性部材５に設けた凹凸５ａが、直接冷却空気と熱交換して誘導加熱コイル３−１の熱を奪うことができるので、高い冷却性能が実現できる。
【０１４２】
以上のように本発明は、本発明によれば、被調理鍋を誘導加熱する際に生じる誘導加熱コイル３−１の温度上昇を、冷却効率をより向上させた構造にて少ない冷却空気２５の風量で抑え、安定した加熱調理を実現できるとともに、ファンの騒音を抑えた静かなキッチン環境を提供することができる。図１３に本発明のコイルユニット２の他の実施例を示す。
【０１４３】
図１３（ａ）は本発明のコイルユニット２をトッププレートから見た平面図を示し、図１３（ｂ）は本発明のコイルユニット２の断面図を示し、この断面図は平面図の一点鎖線で示した近傍の断面である。
【０１４４】
本発明は２組の誘導加熱コイル３と、放熱手段３０として放熱フィンを高熱伝導性の樹脂等の絶縁部材で構成された高熱伝導性部材１６で一体実装した実施例であり、本実施例では２組の誘導加熱コイル３を用いた場合を示してあるが、誘導加熱コイル３は３組以上または１組でも良く、ここで誘導加熱コイルは複数の被覆された線（直径数百ミクロンから数十ミクロン程度）を束ねて撚って構成されるリッツ線を従来どおり用いてもよい。
【０１４５】
この実施例のように、誘導加熱コイル３と放熱部材として使用する放熱フィンを接触させて高熱伝導性の樹脂等の絶縁部材で一体実装し、かつ、高透磁性部材５が存在する部分では、誘導加熱コイル３と高透磁性部材５とを接触させ、かつ、高透磁性部材５と放熱フィンを接触させることで、誘導加熱コイルで発生した熱をアルミニュウムや銅などの金属でできた放熱フィンを用いて放熱する場合でも、誘導加熱コイルと放熱フィン、及び高透磁性部材５との接続に高熱伝導性の樹脂等の絶縁部材を使用しているため、放熱効果が高くなる。このため、放熱用の強制空冷用モータを小型にでき、静音化を実現できる。
【０１４６】
更に、この実施例で示しているようにアルミニュウムや銅などの金属でできた放熱フィンは突起部を電気的に分離させてある。このため、個々の放熱フィンの電位は上記誘導加熱コイルに電圧が印加されても容量分割された値になる。すなわち、個々の放熱フィンは電気的に分離させているため、誘導加熱コイルと放熱フィンを接触または近づけても、誘導加熱コイルと放熱フィンとの間で絶縁破壊しない。このため、誘導加熱コイル間の電圧を高くして、鍋を加熱する出力を高くすることができる。通常の放熱フィンのように金属で全ての突起部が接続されている場合には誘導加熱コイルに高電圧が印加されたとき、放熱フィンとコイルとの間の絶縁部に高電界が印加され絶縁破壊しやすい。このため、通常の放熱フィンを用いた場合には耐圧確保のため、放熱フィンと誘導加熱コイルとの間隔を５mm程度以上離して配置する必要があり、このため、放熱効果が低下するという問題が存在していたためである
そして、高透磁性部材（フェライトなどで構成されるもの）５もコイルと接触させて高熱伝導性の樹脂等の絶縁部材で一体実装して、高透磁性部材５からも放熱できるため、放熱効率が向上し、放熱フィンやコイルと一体実装できるため、部品点数が減り、組立が容易になる効果が得られる。
【０１４７】
また、なべの温度を検知するための温度センサ（熱電対などで構成する）６も上記高熱伝導性部材の樹脂等の絶縁部材と一体にして実装する。また、温度センサ（熱伝対など）の周りの高熱伝導性部材の樹脂等の絶縁部材と、コイルの冷却に用いる高熱伝導性部材の樹脂等の絶縁部材の間の熱伝導を下げるために空気の溝を作成してある。
【０１４８】
更に、この空気の溝を低熱伝導材料で充填したり低熱伝導材料で高熱伝導性樹脂を分離することも可能である。本発明では、上述したように一体実装できるため、部品点数が減り、組立が容易になる。そして、放熱フィンをＴ字型に構成することで、フィンが高熱伝導性の樹脂等の絶縁部材から抜けにくくなる。
【０１４９】
上記高熱伝導性部材は高熱伝導性絶縁樹脂であることが望ましいが、本実施例の場合にはコイルと放熱フィンを直接接触できるため、高熱伝導性の特長を持たない樹脂のように、他の高抵抗部材または絶縁部材でも構わない。
【０１５０】
尚、本実施例は誘導加熱調理器であるが、コイルの放熱方法として、被覆したコイルに電気的に分離した放熱フィンを接触させ、高抵抗材料または絶縁材料、望ましくは高熱伝導性絶縁樹脂を用いて一体化する構造は誘導加熱調理器に限定されず、他の電磁誘導機器に使用することも可能である。すなわち、本構造により、コイルの被覆部を薄くしてもコイルと放熱フィンとの間に印加される電圧が高くならないため、コイルと放熱フィンを近づけても高電圧が印加されるコイルを効率よく放熱できるという効果が得られる。
【０１５１】
図１４に本発明のコイルユニット２の他の実施例を示す。
【０１５２】
図１４（ａ）は本発明のコイルユニット２をトッププレートから見た平面図を示し、図１４（ｂ）は本発明のコイルユニット２の断面図を示し、この断面図は平面図の一点鎖線で示した近傍の断面である。
【０１５３】
この実施例が前述の実施例と異なる構成点としては、２組の誘導加熱コイルと放熱フィンが絶縁体で一体実装されるように、放熱フィンを金属でなく高熱伝導性の樹脂等の絶縁部材で構成された高熱伝導性部材１６で形成したものである。
【０１５４】
そして、この実施例においては、金属の放熱フィンを使用しないため、放熱効果は前述の実施例よりは劣るが、金属フィンを使用しないため低コストで構成することが可能になる。
【０１５５】
図１５に本発明のコイルユニット２の他の実施例を示す。
【０１５６】
図１５（ａ）は本発明のコイルユニット２をトッププレートから見た平面図を示し、図１５（ｂ）は本発明のコイルユニット２の断面図を示し、この断面図は平面図の一点鎖線で示した近傍の断面である。
【０１５７】
この実施例が前述の実施例と異なる構成点としては、放熱フィンの代わりに液状冷媒で冷却する構成を採用したものであり、この液状冷媒は電源回路の強制空冷にも使用する構成になっている。
【０１５８】
そして、この実施例においては、強制空冷のためのモータが不要となるため清音化が達成でき、更に放熱効果も高くすることを実現出来る。
【０１５９】
図１６に本発明のコイルユニット２の他の実施例を示す。
【０１６０】
図１６は本発明のコイルユニット２の断面図を示したものである。
【０１６１】
この実施例では、誘導加熱コイル３に対して、この誘導加熱コイル３の上側に高熱伝導性の樹脂等の絶縁部材で構成された高熱伝導性部材１６を熱が伝導するように接触して配置するようにしたものである。
【０１６２】
そして、この高熱伝導性部材１６をコイルベース４よりも外側に張り出すように形成して、この張り出した部分に冷却空気があたる構成になっている。これにより、この実施例においては、金属の放熱フィンを用いなくても、低コストで構成しながら冷却効率を得ることが可能になる。
【図面の簡単な説明】
【０１６３】
【図１】本発明の第一の実施例の誘導加熱調理器の一部を分解した斜視図である。
【図２】本発明の第一の実施例の誘導加熱調理器のコイルユニットの斜視図である。
【図３】本発明の第一の実施例の誘導加熱調理器のコイルユニット周辺部の側面断面図で、同図（ａ）はフェライトを搭載していない部位で切断したコイルベースを含むコイルユニット周辺部の側面断面図、同図（ｂ）はフェライトを搭載した部位で切断したコイルベースを含むコイルユニット周辺部の側面断面図である。
【図４】本発明の第二の実施例の誘導加熱調理器のコイルユニットの斜視図である。
【図５】本発明の第三の実施例の誘導加熱調理器のコイルユニット周辺部の側面断面図である。
【図６】本発明の第四の実施例の誘導加熱調理器のコイルユニット周辺部の側面断面図である。
【図７】本発明の第五の実施例の誘導加熱調理器のコイルユニット周辺部の側面断面図である。
【図８】本発明の第六の実施例の誘導加熱調理器のコイルユニット周辺部の側面断面図で、同図（ａ）は高透磁性部材５の最外端をトッププレート９側にＬ字状に突出成形した構成を示し、同図（ｂ）は高透磁性部材５の最外端をコイルベース４外周より半径方向に長く突出させて成形した構成を示す。
【図９】本発明の第七の実施例の誘導加熱調理器のコイルユニット周辺部の側面断面図である。
【図１０】本発明の第八の実施例におけるコイルユニットの側面断面図である。
【図１１】本発明の第八の実施例におけるコイルユニットの斜視図である。
【図１２】本発明の第九の実施例におけるコイルユニットの側面断面図である。
【図１３】本発明の第十の実施例におけるコイルユニットの上面図、及び側面断面図である。
【図１４】本発明の第十一の実施例におけるコイルユニットの上面図、及び側面断面図である。
【図１５】本発明の第十二の実施例におけるコイルユニットの上面図、及び側面断面図である。
【図１６】本発明の第十三の実施例におけるコイルユニットの側面断面図である。
【符号の説明】
【０１６４】
１…本体、２（２ａ，２ｂ）…コイルユニット、３（３ａ，３ｂ）…誘導加熱コイル群、３−１（３−１ａ，３−１ｂ，３−２（３−２ａ，３−２ｂ），３−３（３−３ａ，３−３ｂ）…誘導加熱コイル、４（４ａ，４ｂ）…コイルベース、５（５ａ，５ｂ）…高透磁性部材、９…トッププレート、１６…高熱伝導性部材。
【図１】
0004366293.tif 000002
【図２】
0004366293.tif 000003
【図３】
0004366293.tif 000004
【図４】
0004366293.tif 000005
【図５】
0004366293.tif 000006
【図６】
0004366293.tif 000007
【図７】
0004366293.tif 000008
【図８】
0004366293.tif 000009
【図９】
0004366293.tif 000010
【図１０】
0004366293.tif 000011
【図１１】
0004366293.tif 000012
【図１２】
0004366293.tif 000013
【図１３】
0004366293.tif 000014
【図１４】
0004366293.tif 000015
【図１５】
0004366293.tif 000016
【図１６】
0004366293.tif 000017